(57)【要約】【課題】複数の通信方式において、通信開始を試行してから実際に通信開始されるまでの時間を抑制することができる無線端末装置及び無線通信方法を提供すること。【解決手段】携帯電話装置１の制御部６０は、ＬＴＥ方式によりデータ通信を開始する際、無線通信部３０によって通信開始要求を送信させ、当該通信開始要求に対して通信可能である旨を示す情報を受信した場合に、無線通信部３０にＬＴＥ方式によるデータ通信を開始させる。また、携帯電話装置１の制御部６０は、無線通信部３０が通信可能である旨を示す情報を受信できなかった場合に、無線通信部３０にＣＤＭＡ方式による無線接続を開始させる。【選択図】図２
2012147065.tif 000002
【特許請求の範囲】
【請求項１】
複数の通信方式により通信情報を取得した状態で無線通信を行う無線端末装置であって、
通信が完了しても通信情報を取得した状態で維持し、再度の通信開始の際に、当該通信情報に基づいてデータ通信を開始する第１通信方式と、通信の完了に応じて通信情報を破棄し、再度の通信開始の際に、通信情報を再取得し、当該再取得した通信情報に基づいてデータ通信を開始する第２通信方式とのいずれかの通信方式により無線通信を行う無線通信部と、
前記第１通信方式によりデータ通信を開始する際、前記無線通信部によって通信開始要求を送信させ、当該通信開始要求に対して通信可能である旨を示す情報を受信した場合に、前記無線通信部に前記第１通信方式によるデータ通信を開始させる通信制御部と、
を備える無線端末装置。
【請求項２】
前記通信制御部は、前記第１通信方式により前記通信開始要求を送信させる際に、前記通信情報が取得されている状態であっても、前記データ通信の開始を保留する請求項１に記載の無線端末装置。
【請求項３】
前記通信制御部は、前記データ通信の開始が保留されている状態において、前記通信開始要求に対して通信可能である旨の情報を受信した場合、保留状態を解除し、前記データ通信を開始する請求項２に記載の無線端末装置。
【請求項４】
前記通信制御部は、前記通信可能である旨を示す情報が受信されなかった場合に、前記第１通信方式の通信情報を取得した状態で維持する請求項１から３のいずれか１項に記載の無線端末装置。
【請求項５】
前記通信制御部は、前記無線通信部に前記第２通信方式によるデータ通信を開始させる請求項４に記載の無線端末装置。
【請求項６】
前記通信制御部は、前記第２通信方式による通信よりも優先して前記第１通信方式による通信を実行する請求項１から５のいずれか１項に記載の無線端末装置。
【請求項７】
前記第１通信方式はＬＴＥ（Ｌｏｎｇ  Ｔｅｒｍ  Ｅｖｏｌｕｔｉｏｎ）方式であり、前記第２通信方式はＣＤＭＡ（Ｃｏｄｅ  Ｄｉｖｉｓｉｏｎ  Ｍｕｌｔｉｐｌｅ  Ａｃｃｅｓｓ）方式である請求項１から６のいずれか１項に記載の無線端末装置。
【請求項８】
通信が完了しても通信情報を取得した状態で維持し、再度の通信開始の際に、当該通信情報に基づいてデータ通信を開始する第１通信方式と、通信の完了に応じて通信情報を破棄し、再度の通信開始の際に、通信情報を再取得し、当該再取得した通信情報に基づいてデータ通信を開始する第２通信方式とのいずれかの通信方式により無線通信を行う無線端末装置が実行する無線通信方法であって、
前記第１通信方式によりデータ通信を開始する際、通信開始要求を送信し、当該通信開始要求に対して通信可能である旨を示す情報を受信した場合に、前記第１通信方式によるデータ通信を開始するステップを含む無線通信方法。
【発明の詳細な説明】
【技術分野】
【０００１】
本発明は、複数の通信方式により無線通信を行う無線端末装置及び無線通信方法に関する。
【背景技術】
【０００２】
近年、通信技術の発展に伴い、様々な通信方式が提案されている。例えば、通信の完了に応じてＩＰアドレスを解放し、再度の通信開始の際に、ＩＰアドレスをネットワークから再取得し、当該再取得した通信情報に基づいてデータ通信を開始するＣＤＭＡ（Ｃｏｄｅ  Ｄｉｖｉｓｉｏｎ  Ｍｕｌｔｉｐｌｅ  Ａｃｃｅｓｓ）方式や、通信が完了しても通信情報としてのＩＰアドレスを取得した状態で維持し、再度の通信開始の際に、当該ＩＰアドレスに基づいてデータ通信を開始するＬＴＥ（Ｌｏｎｇ  Ｔｅｒｍ  Ｅｖｏｌｕｔｉｏｎ）方式が提案されている。
【０００３】
また、これら複数の通信方式により無線通信を行う無線端末装置が提案されている。例えば、特許文献１には、ＬＴＥ方式により通信が行われている場合に、ＣＤＭＡ方式等を使用した２Ｇ／３Ｇ方式による通信に、通信を切り替える通信システムが提案されている。
【先行技術文献】
【特許文献】
【０００４】
【特許文献１】特表２００９−５４０７２１号公報
【発明の概要】
【発明が解決しようとする課題】
【０００５】
ところで、ＬＴＥ方式では、通信が完了してもＩＰアドレスを保持しているため、通信アプリケーション等から起動要求を受け付けた場合、無線通信ができない状態であっても、無線接続に成功したものとして通信アプリケーション等に応答してしまう。よって、ＬＴＥ通信では、外部機器とのデータ通信を試行してから所定時間経過した後に、データ通信に失敗したことを検知することとなり、データ通信の失敗を検知するのに時間がかかってしまう。
【０００６】
このように、ＬＴＥ方式ではデータ通信の失敗を検知するのに時間がかかってしまうため、例えば、ＬＴＥ方式による通信が失敗した場合に２Ｇ／３Ｇ方式による通信に、通信を切り替えようとしても、通信の切替に時間がかかってしまう。
【０００７】
本発明は、複数の通信方式において、通信開始を試行してから実際に通信開始されるまでの時間を抑制することができる無線端末装置及び無線通信方法を提供することを目的とする。
【課題を解決するための手段】
【０００８】
本発明に係る無線端末装置は、複数の通信方式により通信情報を取得した状態で無線通信を行う無線端末装置であって、通信が完了しても通信情報を取得した状態で維持し、再度の通信開始の際に、当該通信情報に基づいてデータ通信を開始する第１通信方式と、通信の完了に応じて通信情報を破棄し、再度の通信開始の際に、通信情報を再取得し、当該再取得した通信情報に基づいてデータ通信を開始する第２通信方式とのいずれかの通信方式により無線通信を行う無線通信部と、前記第１通信方式によりデータ通信を開始する際、前記無線通信部によって通信開始要求を送信させ、当該通信開始要求に対して通信可能である旨を示す情報を受信した場合に、前記無線通信部に前記第１通信方式によるデータ通信を開始させる通信制御部と、を備える。
【０００９】
また、上記無線端末装置では、前記通信制御部は、前記第１通信方式により前記通信開始要求を送信させる際に、前記通信情報が取得されている状態であっても、前記データ通信の開始を保留することが好ましい。
【００１０】
また、上記無線端末装置では、前記通信制御部は、前記データ通信の開始が保留されている状態において、前記通信開始要求に対して通信可能である旨の情報を受信した場合、保留状態を解除し、前記データ通信を開始することが好ましい。
【００１１】
また、上記無線端末装置では、前記通信制御部は、前記通信可能である旨を示す情報が受信されなかった場合に、前記第１通信方式の通信情報を取得した状態で維持することが好ましい。
【００１２】
また、上記無線端末装置では、前記通信制御部は、前記無線通信部に前記第２通信方式によるデータ通信を開始させることが好ましい。
【００１３】
また、上記無線端末装置では、前記通信制御部は、前記第２通信方式による通信よりも優先して前記第１通信方式による通信を実行することが好ましい。
【００１４】
また、上記無線端末装置では、前記第１通信方式はＬＴＥ（Ｌｏｎｇ  Ｔｅｒｍ  Ｅｖｏｌｕｔｉｏｎ）方式であり、前記第２通信方式はＣＤＭＡ（Ｃｏｄｅ  Ｄｉｖｉｓｉｏｎ  Ｍｕｌｔｉｐｌｅ  Ａｃｃｅｓｓ）方式であることが好ましい。
【００１５】
本発明に係る無線通信方法は、通信が完了しても通信情報を取得した状態で維持し、再度の通信開始の際に、当該通信情報に基づいてデータ通信を開始する第１通信方式と、通信の完了に応じて通信情報を破棄し、再度の通信開始の際に、通信情報を再取得し、当該再取得した通信情報に基づいてデータ通信を開始する第２通信方式とのいずれかの通信方式により無線通信を行う無線端末装置が実行する無線通信方法であって、
前記第１通信方式によりデータ通信を開始する際、通信開始要求を送信し、当該通信開始要求に対して通信可能である旨を示す情報を受信した場合に、前記第１通信方式によるデータ通信を開始するステップを含む。
【発明の効果】
【００１６】
本発明によれば、複数の通信方式において、通信開始を試行してから実際に通信開始されるまでの時間を抑制することができる。
【図面の簡単な説明】
【００１７】
【図１】本実施形態に係る携帯電話装置の外観斜視図である。
【図２】本実施形態に係る携帯電話装置の機能を示す機能ブロック図である。
【図３】本実施形態に係る携帯電話装置において、ＬＴＥ方式による通信が可能な場合のデータを送信する処理の流れを示すシーケンス図である。
【図４】本実施形態に係る携帯電話装置において、ＬＴＥ方式による通信が可能ではない場合のデータを送信する処理の流れを示すシーケンス図である。
【図５】従来の携帯電話装置において、ＬＴＥ方式による通信が可能な場合のデータを送信する処理の流れを示すシーケンス図である。
【図６】従来の携帯電話装置において、ＬＴＥ方式による通信が可能ではない場合のデータを送信する処理の流れを示すシーケンス図である。
【発明を実施するための形態】
【００１８】
以下、本発明の実施の形態について説明する。図１は、本実施形態に係る無線端末装置の一例である携帯電話装置１の外観斜視図である。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でもよい。
【００１９】
携帯電話装置１は、操作部側筐体部２と、表示部側筐体部３とを備えて構成される。操作部側筐体部２は、表面部１０に、操作部１１と、携帯電話装置１の使用者が通話時に発した音声が入力されるマイク１２とを備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２とを備えて構成されている。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
図２は、本実施形態に係る携帯電話装置１の機能を示す機能ブロック図である。
携帯電話装置１は、図２に示すように、操作部１１と、マイク１２と、無線通信部３０と、ＬＣＤ制御部４１と、音声処理部４２と、記憶部５０と、通信制御部としての制御部６０とを操作部側筐体部２に備える。また、携帯電話装置１は、ＬＣＤ表示部２１と、スピーカ２２と、ＬＣＤドライバ２３とを表示部側筐体部３に備える。
【００２２】
無線通信部３０は、第１通信方式としてのＬＴＥ（Ｌｏｎｇ  Ｔｅｒｍ  Ｅｖｏｌｕｔｉｏｎ）方式と、第２通信方式としてのＣＤＭＡ（Ｃｏｄｅ  Ｄｉｖｉｓｉｏｎ  Ｍｕｌｔｉｐｌｅ  Ａｃｃｅｓｓ）方式とのいずれかの通信方式により、基地局等の外部機器（図示省略）を含むネットワーク（図示省略）と無線通信を行う。
【００２３】
ＬＴＥ方式は、通信が完了しても通信情報としてのＩＰアドレスを取得した状態で維持し、再度の通信開始の際に、当該ＩＰアドレスに基づいてデータ通信を開始する通信方式である。
ＣＤＭＡ方式は、通信の完了に応じてＩＰアドレスを解放（通信情報を破棄）し、再度の通信開始の際に、ＩＰアドレスを基地局等の外部機器等により構成されるネットワークから再取得し、当該再取得したＩＰアドレスに基づいてデータ通信を開始する通信方式である。
【００２４】
このように、本実施形態では、ＬＴＥ方式とＣＤＭＡ方式とのいずれかにより、基地局（図示省略）等の外部機器と無線通信を行うので、一方の通信方式によって通信ができない状態であっても、他方の通信方式による通信を試行することにより、通信が可能となる可能性を高めることができる。
【００２５】
この無線通信部３０は、第１アンテナ３１と、第１ＲＦ回路部３２と、第１呼制御部３３と、第２アンテナ３４と、第２ＲＦ回路部３５と、第２呼制御部３６と、を備える。
【００２６】
第１アンテナ３１は、基地局等の外部機器と、ＬＴＥ方式に対応する変調方式で変調された高周波信号の送受信を行う。
第１ＲＦ回路部３２は、第１アンテナ３１により送受信される高周波信号を処理する。具体的には、第１ＲＦ回路部３２は、第１アンテナ３１によって受信した信号をＬＴＥ方式に対応する復調方式で復調し、処理後の信号を第１呼制御部３３に供給する。また、第１ＲＦ回路部３２は、第１呼制御部３３から供給された信号をＬＴＥ方式に対応する変調方式で変調し、第１アンテナ３１を介して基地局等の外部機器に送信する。
【００２７】
第１呼制御部３３は、ＩＰアドレスが既に取得されている場合に、制御部６０からデータ通信の開始要求を受け付けたことに応じて、第１アンテナ３１及び第１ＲＦ回路部３２を介して、ネットワーク（外部機器）に対して通信開始要求を送信する。そして、第１呼制御部３３は、第１アンテナ３１及び第１ＲＦ回路部３２を介して、ネットワークから通信可能である旨を示す情報を受信した場合に、制御部６０に対して、当該情報を通知する。また、第１呼制御部３３は、第１アンテナ３１及び第１ＲＦ回路部３２を介して、ネットワークから情報を受信できなかった場合に、制御部６０に対して、通信に失敗した旨を示す情報を通知する。
【００２８】
第２アンテナ３４は、基地局等の外部機器と、ＣＤＭＡ方式に対応する変調方式で変調された高周波信号の送受信を行う。
第２ＲＦ回路部３５は、第２アンテナ３４により送受信される高周波信号を処理する。具体的には、第２ＲＦ回路部３５は、第２アンテナ３４によって受信した信号をＣＤＭＡ方式に対応する復調方式で復調し、処理後の信号を第２呼制御部３６に供給する。また、第２ＲＦ回路部３５は、第２呼制御部３６から供給された信号をＣＤＭＡ方式に対応する変調方式で変調し、第２アンテナ３４を介して基地局等の外部機器に送信する。
【００２９】
第２呼制御部３６は、制御部６０から無線接続の開始要求を受け付けたことに応じて、第２アンテナ３４及び第２ＲＦ回路部３５を介して、ネットワークに対して無線接続要求を送信する。そして、第２呼制御部３６は、第２アンテナ３４及び第２ＲＦ回路部３５を介して、ネットワークから無線接続を確立した旨を示す情報を受信した場合に、制御部６０に対して、当該情報を通知する。また、第２呼制御部３６は、第２アンテナ３４及び第２ＲＦ回路部３５を介して、ネットワークから情報を受信できなかった場合に、制御部６０に対して、無線接続の確立に失敗した旨を示す情報を通知する。
【００３０】
ＬＣＤ制御部４１は、制御部６０の制御に従って、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００３１】
音声処理部４２は、制御部６０の制御に従って、所定の音声処理を行うことによって電気信号を生成し、この電気信号をスピーカ２２に出力する。スピーカ２２は、音声処理部４２から供給された電気信号を外部に出力する。また、音声処理部４２は、マイク１２から入力された電気信号を処理し、処理後の信号を制御部６０に出力する。
【００３２】
記憶部５０は、例えば、情報を記憶するメモリ等により構成されており、制御部６０による演算処理に利用される。また、記憶部５０は、通信可能なアプリケーション（通信アプリケーション）を記憶するとともに、携帯電話装置１の通信状態を記憶する。また、記憶部５０は、通信方式を判定するための情報を記憶する。なお、記憶部５０は、着脱可能な外部メモリを兼ねていてもよい。
【００３３】
以下に、通信状態について説明する。通信状態は、ＬＴＥ方式と、ＣＤＭＡ方式とで異なる。ＬＴＥ方式における通信状態は、「ＡＣＴＩＶＥ＿ＤＩＳＡＢＬＥＤ」と、「ＡＣＴＩＶＥ＿ＣＯＭＩＮＧ＿ＵＰ」と、「ＡＣＴＩＶＥ＿ＵＰ」と、「ＡＣＴＩＶＥ＿ＤＯＷＮ」と、を含む。
【００３４】
「ＡＣＴＩＶＥ＿ＤＩＳＡＢＬＥＤ」は、通信アプリケーションが起動していない状態を示す状態である。
「ＡＣＴＩＶＥ＿ＣＯＭＩＮＧ＿ＵＰ」は、ＬＴＥ方式においてＩＰアドレス取得済みであって、通信アプリケーションによる通信開始の処理中を示す状態である。
「ＡＣＴＩＶＥ＿ＵＰ」は、ＬＴＥ方式においてＩＰアドレス取得済みであって、通信アプリケーションに対して通信可能である旨を示す通知をするための状態である。
「ＡＣＴＩＶＥ＿ＤＯＷＮ」は、ＬＴＥ方式においてＩＰアドレス取得済みの場合に、通信アプリケーションに対して通信に失敗した旨を示す状態である。この状態では、ＩＰアドレスは解放されないものとする。
【００３５】
ＣＤＭＡ方式における通信状態は、「ＤＯＷＮ」と、「ＵＰ」と「ＣＯＭＩＮＧ＿ＵＰ」と、を含む。
「ＵＰ」は、ＣＤＭＡ方式においてＩＰアドレスを取得済みの状態である。
「ＤＯＷＮ」は、ＣＤＭＡ方式においてＩＰアドレスを取得していない状態である。
「ＣＯＭＩＮＧ＿ＵＰ」は、ＩＰアドレス取得準備中の状態であって、無線接続の確立を試行している状態である。
【００３６】
なお、本実施形態における携帯電話装置１におけるＬＴＥの通信状態は、新たに設けた通信状態であり、従来のＬＴＥ方式では存在しない通信状態である。すなわち、従来の携帯電話装置のＬＴＥの通信状態は、上述の「ＤＯＷＮ」と、「ＵＰ」と「ＣＯＭＩＮＧ＿ＵＰ」とを含む。
【００３７】
以下に、従来の携帯電話装置のＬＴＥ方式におけるデータを送信する処理の流れについて説明する。なお、説明するにあたり、従来の携帯電話装置１の制御部を６０Ａとし、無線通信部を３０Ａとする。また、通信アプリケーション６１Ａは、制御部６０Ａにより実行されるプログラムであるが、図５では、制御部６０Ａとは異なる処理として示している。
【００３８】
図５は、従来の携帯電話装置において、ＬＴＥ方式による通信が可能な場合のデータを送信する処理の流れを示すシーケンス図である。
【００３９】
ステップＳ１０１において、制御部６０Ａは、通信アプリケーション６１Ａから、通信開始要求を受け付ける。
ステップＳ１０２において、制御部６０Ａは、ＬＴＥ方式によりＩＰアドレスが取得されているか否かを確認する。ここでは、ＬＴＥ方式により、ＩＰアドレスが既に取得されており、通信状態が「ＵＰ」であるものとして説明を続ける。
【００４０】
ステップＳ１０３において、制御部６０Ａは、通信状態が「ＵＰ」であるため、「ＵＰ＿ＥＶＥＮＴ」により通信可能である旨を通信アプリケーション６１Ａに通知する。
【００４１】
続いて、通信アプリケーション６１Ａでは、通信可能である旨を通知されたことに応じてデータ送信を開始し、制御部６０Ａ及び無線通信部３０Ａを介してＬＴＥ方式を使用したデータの送信が行われる（ステップＳ１０４〜ステップＳ１０６）。そして、無線通信部３０Ａにより、データの送信に成功したことに応じて、送信に成功した旨が通信アプリケーション６１Ａに通知される（ステップＳ１０７〜ステップＳ１０８）。
【００４２】
図６は、従来の携帯電話装置において、ＬＴＥ方式による通信が可能ではない場合のデータを送信する処理の流れを示すシーケンス図である。
【００４３】
ステップＳ１１１において、制御部６０Ａは、通信アプリケーション６１Ａから、通信開始要求を受け付ける。
ステップＳ１１２において、制御部６０Ａは、ＬＴＥ方式によりＩＰアドレスが取得されているか否かを確認する。ここでは、ＬＴＥ方式により、ＩＰアドレスが既に取得されており、通信状態が「ＵＰ」であるものとして説明を続ける。
【００４４】
ステップＳ１１３において、制御部６０Ａは、通信状態が「ＵＰ」であるため、「ＵＰ＿ＥＶＥＮＴ」により通信可能である旨を通信アプリケーション６１Ａに通知する。
【００４５】
続いて、通信アプリケーション６１Ａでは、通信可能である旨を通知されたことに応じてデータ送信を開始し、制御部６０Ａ及び無線通信部３０Ａを介してＬＴＥ方式を使用したデータの送信が行われる（ステップＳ１１４〜ステップＳ１１６）。そして、無線通信部３０Ａにより、データの送信に失敗したことに応じて、送信に失敗した旨が通信アプリケーション６１Ａに通知される（ステップＳ１１７〜ステップＳ１１８）。
【００４６】
つまり、従来の携帯電話装置では、ＬＴＥ方式による通信ができない場合であっても、ＩＰアドレスが取得されているときには、通信アプリケーションに、ＵＰ＿ＥＶＥＮＴを通知してしまい、実際にデータ送信処理が行われてしまう。よって、従来の携帯電話装置では、通信アプリケーション６１Ａにデータの送信に失敗した旨が通知されるまでに時間がかかってしまう。
【００４７】
本実施形態の携帯電話装置１の説明に戻る。
制御部６０は、中央演算装置（ＣＰＵ）等により構成されており、携帯電話装置１の全体を制御する。制御部６０は、例えば、無線通信部３０、ＬＣＤ制御部４１、音声処理部４２等に対して所定の制御を行う。また、制御部６０は、操作部１１等から入力を受け付けて、各種処理を実行する。また、制御部６０は、処理実行の際には、記憶部５０を制御し、各種プログラム及びデータの読み出し、並びにデータの書き込みを行う。また、制御部６０は、ＬＴＥ方式の通信状態が「ＡＣＴＩＶＥ＿ＵＰ」に遷移した場合、又はＣＤＭＡ方式の通信状態が「ＵＰ」に遷移した場合に、通信可能である旨を示すイベントである「ＵＰ＿ＥＶＥＮＴ」を発行する。制御部６０の詳細な機能については後述する。
【００４８】
このように構成される携帯電話装置１は、制御部６０により、例えば、記憶部５０に記憶されている通信アプリケーションを起動させたことに応じてデータ通信を行う際に、ＣＤＭＡ方式による通信よりも優先してＬＴＥ方式による通信を無線通信部３０に実行させる。以下に、制御部６０について、詳細な説明を行う。
【００４９】
制御部６０は、ＬＴＥ方式によりデータ通信を開始する際、無線通信部３０に通信開始要求を送信させ、無線通信部３０が当該通信開始要求に対して通信可能である旨を示す情報をネットワークから受信した場合に、無線通信部３０にＬＴＥ方式によるデータ通信を開始させる。
【００５０】
また、制御部６０は、無線通信部３０が通信可能である旨を示す情報をネットワークから受信できなかった場合に、無線通信部３０にＣＤＭＡ方式による無線接続を開始させる。具体的には、制御部６０は、無線通信部３０がネットワークから通信可能である旨を示す情報が受信されなかった場合に、ＬＴＥ方式に対応するＩＰアドレスを取得した状態で維持し、無線通信部３０にＣＤＭＡ方式による無線接続を開始させる。
【００５１】
図３は、本実施形態に係る携帯電話装置において、ＬＴＥ方式による通信が可能な場合のデータを送信する処理の流れを示すシーケンス図である。なお、シーケンス図における処理の開始時には、記憶部５０に記憶されているＬＴＥ方式における通信状態が、「ＡＣＴＩＶＥ＿ＤＩＳＡＢＬＥＤ」であるものとする。また、通信アプリケーション６１は、制御部６０により実行されるプログラムであるが、図３では、制御部６０とは異なる処理として示している。
【００５２】
ステップＳ１において、制御部６０は、通信アプリケーション６１から、通信開始要求を受け付ける。
ステップＳ２において、制御部６０は、携帯電話装置１は、ＬＴＥ方式によりＩＰアドレスが取得されているか否かを確認する。ここでは、ＬＴＥ方式により、ＩＰアドレスが既に取得されているものとして説明を続ける。
【００５３】
ステップＳ３において、制御部６０は、無線通信部３０の第１呼制御部３３に対して通信開始要求を送信させる。
【００５４】
ステップＳ４において、制御部６０は、記憶部５０に記憶されているＬＴＥ方式における通信状態を「ＡＣＴＩＶＥ＿ＣＯＭＩＮＧ＿ＵＰ」にする。このように、「ＡＣＴＩＶＥ＿ＣＯＭＩＮＧ＿ＵＰ」とすることで、ＩＰアドレスが付与（取得）されている状態であっても、通信アプリケーション６１の通信開始に対する応答は保留される。
【００５５】
ステップＳ５において、無線通信部３０の第１呼制御部３３は、制御部６０から、通信開始要求を受け付けたことに応じて、ネットワークを介して通信アプリケーション６１の通信先である外部のサーバに対して通信開始要求を行う。なお、ステップＳ４の処理とステップＳ５の処理は並列して実行されるものであり、処理の順序は問わないものとする。
ステップＳ５において、無線通信部３０の第１呼制御部３３が、ネットワークを介して、外部のサーバから通信可能である旨を示す情報を受信すると、無線通信部３０の第１呼制御部３３は、通信可能である旨を示す情報を制御部６０に送信する（ステップＳ６）。
【００５６】
ステップＳ７において、制御部６０は、ステップＳ６において通信可能である旨を示す情報を受信したことに応じて、記憶部５０に記憶されているＬＴＥ方式における通信状態を「ＡＣＴＩＶＥ＿ＵＰ」にして、保留状態を解除する。
【００５７】
ステップＳ８において、制御部６０は、通信状態が「ＡＣＴＩＶＥ＿ＵＰ」に遷移したことに応じて、「ＵＰ＿ＥＶＥＮＴ」により通信可能である旨を通信アプリケーション６１に通知する。
【００５８】
続いて、通信アプリケーション６１では、通信可能である旨を通知されたことに応じてデータ送信を開始し、制御部６０及び第１呼制御部３３を介してＬＴＥ方式を使用したデータの送信が行われる。
【００５９】
図４は、本実施形態に係る携帯電話装置において、ＬＴＥ方式による通信が可能ではない場合のデータを送信する処理の流れを示すシーケンス図である。なお、シーケンス図における処理の開始時には、記憶部５０に記憶されているＬＴＥ方式の通信状態が、「ＡＣＴＩＶＥ＿ＤＩＳＡＢＬＥＤ」であるものとする。
【００６０】
ステップＳ１１からステップＳ１４の処理は、図３に示されるステップＳ１からステップＳ４の処理と同一の処理であるので、説明を省略する。
【００６１】
ステップＳ１５において、無線通信部３０の第１呼制御部３３は、制御部６０から、通信開始要求を受け付けたことに応じて、ネットワークを介して通信アプリケーション６１の通信先である外部のサーバに対して通信開始要求を行う。ここで、ステップＳ１５の処理では、無線通信部３０の第１呼制御部３３は、通信可能である旨を示す情報を、ネットワークを介して外部のサーバから受信できなかったものとする。
ステップＳ１６において、無線通信部３０の第１呼制御部３３は、通信に失敗した旨を示す情報を制御部６０に送信する。
【００６２】
ステップＳ１７において、制御部６０は、記憶部５０に記憶されているＬＴＥ方式における通信状態を「ＡＣＴＩＶＥ＿ＤＯＷＮ」にする。このようにすることで、ＬＴＥ方式に対応するＩＰアドレスは、解放されずに維持される。つまり、ＬＴＥ方式に対応するＩＰアドレスは、取得した状態で維持される。
【００６３】
次に、制御部６０は、ＣＤＭＡ方式による通信を開始させる。
ステップＳ１８において、制御部６０は、記憶部５０に記憶されているＣＤＭＡ方式における通信状態を「ＣＯＭＩＮＧ＿ＵＰ」にする。
ステップＳ１９において、制御部６０は、ステップＳ１８において、記憶部５０に記憶されているＣＤＭＡ方式における通信状態が「ＣＯＭＩＮＧ＿ＵＰ」となったことに応じて、無線通信部３０の第２呼制御部３６に、ＣＤＭＡ方式による無線接続を開始させる。
【００６４】
ステップＳ２０において、無線通信部３０の第２呼制御部３６は、制御部６０から、無線接続要求を受け付けたことに応じて、ネットワークを介して通信アプリケーション６１の通信先である外部のサーバに対して無線接続要求を行う。ここでは、無線通信部３０の第２呼制御部３６は、外部のサーバに対する無線接続が確立したものとして説明を進める。この場合、無線通信部３０の第２呼制御部３６は、通信可能である旨を示す情報を制御部６０に送信する（ステップＳ２１）。
【００６５】
ステップＳ２２において、制御部６０は、ステップＳ２１において通信可能である旨を示す情報を受信したことに応じて、記憶部５０に記憶されているＣＤＭＡ方式における通信状態を「ＵＰ」にする。
【００６６】
ステップＳ２３において、制御部６０は、通信状態が「ＵＰ」に遷移したことに応じて、「ＵＰ＿ＥＶＥＮＴ」により通信可能である旨を通信アプリケーション６１に通知する。
【００６７】
続いて、通信アプリケーション６１では、通信可能である旨を通知されたことに応じて、データ送信を開始し、制御部６０及び第１呼制御部３３を介してＣＤＭＡ方式を使用したデータの送信が行われる。
【００６８】
以上、本実施形態によれば、制御部６０は、ＬＴＥ方式によりデータ通信を開始する際、無線通信部３０に通信開始要求を送信させ、無線通信部３０が当該通信開始要求に対して通信可能である旨を示す情報をネットワークから受信した場合に、無線通信部３０にＬＴＥ方式によるデータ通信を開始させる。
【００６９】
よって、携帯電話装置１では、ＬＴＥ方式において、データ通信を開始する際に、従来の携帯電話装置のＬＴＥ方式のように、ＩＰアドレスが維持されている状態をもってデータ通信を開始せず、実際にＬＴＥ方式により通信可能であることを確認してから、ＬＴＥ方式によりデータ通信を開始する。よって、携帯電話装置１は、実際にデータを送信してからデータ送信に失敗することがないので、通信開始を試行してから実際に通信開始されるまでの時間を抑制することができる。
【００７０】
また、制御部６０は、無線通信部３０が通信可能である旨を示す情報をネットワークから受信できなかった場合に、無線通信部３０にＣＤＭＡ方式による無線接続を開始させる。
【００７１】
よって、携帯電話装置１では、ＬＴＥ方式によりデータ通信を開始する際に、通信可能である場合には、ＬＴＥ方式によりデータ通信を開始させ、通信可能ではない場合には、ＣＤＭＡ方式による無線接続を開始させるので、ユーザの操作等を必要とせずに、通信の切替を行うことができる。よって、携帯電話装置１は、複数の通信方式において、通信開始を試行してから実際に通信開始されるまでの時間を抑制することができる。
【００７２】
また、制御部６０は、ＣＤＭＡ方式による通信よりも優先してＬＴＥ方式による通信を実行する。ＬＴＥ方式は、データ通信が行われていない状態であってもＩＰアドレスを保持するので、再度のデータ通信の開始において改めてＩＰアドレスを取得する必要がないので、データ通信を行う都度ＩＰアドレスを取得するＣＤＭＡ方式に比べて、通信開始までの処理時間が短い。よって、携帯電話装置１では、ＬＴＥ方式による通信よりも優先してＣＤＭＡ方式による通信を実行する場合に比べて、通信開始を試行してから実際に通信開始されるまでの時間を抑制することができる。
【００７３】
また、制御部６０は、ＬＴＥ方式により通信開始要求を送信させる際に、ＩＰアドレスが取得されている状態であっても、データ通信の開始を保留する。そして、制御部６０は、通信開始要求に対して通信可能である旨の情報を受信した場合に、保留状態を解除し、データ通信を開始する。このようにすることで、ＬＴＥ方式において、ＩＰアドレスが取得されており、無線通信ができない場合であっても、データの開始が行われない。よって、携帯電話装置１は、ＩＰアドレスが取得されており、無線通信ができない場合において、データ送信を開始してデータ通信がエラーとなることを防止することができる。
【００７４】
また、制御部６０は、ネットワークから通信可能である旨を示す情報が受信されなかった場合に、ＬＴＥ方式のＩＰアドレスを取得した状態で維持し、無線通信部３０にＣＤＭＡ方式による無線接続を開始させる。このようにすることで、携帯電話装置１は、ＬＴＥ方式において、短時間にわたって通信ができない場合に、ＩＰアドレスを解放することがない。よって、携帯電話装置１は、ＬＴＥ方式による通信を再び行うことができるようになった場合に、ＩＰアドレスを再取得することがないので、ＬＴＥ方式により再び通信を行う場合に、ＩＰアドレスを取得する時間を省略することができる。
【００７５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７６】
１  携帯電話装置
３０  無線通信部
６０  制御部
【図１】
2012147065.tif 000003
【図２】
2012147065.tif 000004
【図３】
2012147065.tif 000005
【図４】
2012147065.tif 000006
【図５】
2012147065.tif 000007
【図６】
2012147065.tif 000008